(57)【特許請求の範囲】
【請求項１】
互いにすりあわせ可能な第１の刃(13)および第２の刃(23)と、
前記第１の刃(13)及び第２の刃(23)とを回転可能に軸支している支点部(3)と、
指を挿入して前記第１の刃(13)及び第２の刃(23)の開閉を操作するための第１の指環(11)及び第２の指環(21)と、
を有する理美容はさみであって、
前記第１の指環(11)は使用者の親指を掛けられるように成形されており、
前記第１の刃(13)の下側に第２の刃(23)が重ね合わされており、
さらに前記第１の刃(13)及び第２の刃(23)の回転面(H2)よりも下側に前記第１の指環(11)が位置し、かつ前記第１の指環(11)と第１の刃(13)との間に前記第２の刃(23)が位置し、
前記第１の指環(11)及び第２の指環(21)のそれぞれの形状面における略中心同士を結ぶ線(L1)が、前記第１の刃(13)及び第２の刃(23)の回転面(H2)と交差していることを特徴とする理美容はさみ。
【請求項２】
請求項１に記載の理美容はさみにおいて、
前記回転面(H2)よりも上側に前記第２の指環(21)が位置していることを特徴とする理美容はさみ。
【請求項３】
請求項１または２の理美容はさみにおいて、
前記第１の指環(11)及び第２の指環(21)におけるそれぞれの形状面の中心軸(15,25)は、互いにねじれの位置にあることを特徴とする理美容はさみ。
【請求項４】
請求項１ないし３のいずれか一に記載の理美容はさみにおいて、
前記第２の指環(21)は、人差し指、中指、薬指、小指よりなる群から選択される少なくとも一の指を掛けられるよう成形されていることを特徴とする理美容はさみ。
【請求項５】
請求項１ないし４のいずれか一に記載の理美容はさみにおいて、
前記第２の指環(21)と第２の刃(23)との間に、指の少なくとも一部を接触可能な指当て部(6)が単数または複数形成されていることを特徴とする理美容はさみ。
【請求項６】
請求項１ないし５のいずれか一に記載の理美容はさみにおいて、
前記第１の刃(13)と前記第１の指環(11)とに連結して該第１の刃(13)と該第１の指環(11)との相対位置を固定可能な第１の柄(12)と、
前記第２の刃(23)と前記第２の指環(21)とに連結して該前記第２の刃(23)と該第２の指環(21)との相対位置を固定可能な第２の柄(22)と、
を有しており、
該第２の柄(22)の一部が、掌または指腹と当接可能に成形されていることを特徴とする理美容はさみ。
【請求項７】
請求項６に記載の理美容はさみにおいて、
前記第１の柄(12)あるいは前記第１の指環(11)は、第２の柄(22)側へと突出した領域(7)を備えており、
刃先を開放した状態の第１の刃(13)または第２の刃(23)が、互いに近接する方向に回転する際に、該第１の刃(13)及び該第２の刃(23)が略重なる位置で、前記突出領域(7)が前記第２の指環(21)あるいは前記第２の柄(22)と接触すると共に、該第１の刃(13)及び該第２の刃(23)の回転を阻止することを特徴とする理美容はさみ。
【請求項８】
請求項１ないし７のいずれか一に記載の理美容はさみにおいて、
前記第１の刃(13)及び第２の刃(23)を閉じた状態における前記支点部(3)を基準点(G)として、該基準点(G)から刃先方向をｚ軸とし、かつ該基準点(G)を通過して前記回転面(H2)と直交する直線をｘ軸とし、さらに前記基準点(G)を通過し前記回転面(H2)と平行かつ前記ｘ軸と直交する直線をｙ軸とした際のｘｙ平面視において、
前記第１の指環(11)を第１象限に配置させ、かつ第２の指環(21)を第３象限または第４象限に位置する姿勢に構成してなることを特徴とする理美容はさみ。
【請求項９】
請求項８に記載の理美容はさみにおいて、
該第２の指環(21)の形状面の中心点(J)と前記基準点(G)を結ぶ直線が、前記ｙ軸との成す角を０°〜９０°に設定してなることを特徴とする理美容はさみ。
【請求項１０】
請求項５に記載の理美容はさみにおいて、
前記指当て部(16)の少なくとも一部が円弧状に形成されていることを特徴とする理美容はさみ。
【請求項１１】
請求項６ないし１０のいずれか一に記載の理美容はさみにおいて、
前記第２の柄(22)は、一端側にある前記第２の刃(23)と対向する他端側に把持補助部(14)を備えており、
該把持補助部(14)の先端が前記第２の指環(21)よりも刃先と逆方向に突出していることを特徴とする理美容はさみ。
【請求項１２】
請求項１ないし１１のいずれか一に記載の理美容はさみにおいて、
前記第２の指環(21)に連結され、かつ前記第１の指環(11)側に突出した第２の把持補助部(24)を備えることを特徴とする理美容はさみ。
【発明の詳細な説明】
【技術分野】
【０００１】
本発明は、理美容はさみに関するものであって、特に逆手用の理髪ばさみに関する。
【背景技術】
【０００２】
最近の理美容界では、ファッションの移ろいに応じて種々のヘアスタイルが創造されており、また個人の嗜好も多様であるため要求されるヘアスタイルは幅広い。これに応じてヘアカット技術を向上すべくその追求も盛んである。加えてヘアスタイルの完成過程をショー的に公開して、カット技術自体を芸術的に見せる工夫もなされている。例えば、従来のはさみの握り方を変え、はさみの刃を素早く開閉してカットのスピードを早めたり、或いは毛に対する刃の切り込み角度を様々に変化させるなど、斬新なカット法も公開されている。
【０００３】
ところで図１６に示す理美容はさみは、一般的な理髪用の理美容はさみ１００であって、動刃１０１及び静刃１０２からなる一対の刃のすり合わせにより髪を切る道具である。それぞれの刃１０１、１０２には柄１０１Ａ、１０２Ａが連結されており、さらに柄の先端域には、指を挿入できる指環１０１ａ、１０２ａが形成されている。理美容はさみ１００は、一対の刃１０１、１０２が開閉自由となるよう、ねじ１０３により組み合わされている。そして、Ｘ字状に刃が開いた状態の理美容はさみ１００の、一端側に位置する指環１０１ａ、１０２ａ同士を近接させると、ねじ１０３が支点となって、他端側に位置する一対の二枚の刃１０１、１０２がかむようにすりあわさり、この結果髪を切ることができる。
【０００４】
また、図１６の理美容はさみ１００は、右利き用の理美容はさみであり、動刃１０１を図の手前、静刃１０２を奥にした姿勢で表記されている。従来の通常の持ち方では、右手の親指を動刃１０１側の指環１０１ａに、静刃１０２側から（図１６の奥から手前側へ）挿入すると共に、薬指を静刃１０２側の指環１０２ａに、親指と同様の向きに入れて、理美容はさみ１００を握る。このはさみの握り方を順手という。
【０００５】
一方、図１７に、逆手と呼ばれるはさみの持ち方を示す。図１７において使用する理美容はさみは、図１６と同様の理美容はさみ１００であり、図１６の理美容はさみを１８０度回転した向き、すなわち、刃先が下方に向く姿勢で図示されている。この右利き用の理美容はさみ１００を右利きの人が逆手で握る場合、順手の握り方と比較して、指を指環に挿入する方向は同じであるが、指を挿入する指環が逆になる。すなわち、右手の親指を静刃１０２側の指環１０２ａに、静刃１０２側から動刃１０１側へ（図１７の奥から手前側へ）挿入すると共に、薬指を動刃１０１側の指環１０１ａに、奥から手前側に入れて理美容はさみ１００を握る。
【０００６】
このように一のはさみを順手及び逆手に握ることで、頭部に対する刃先の角度を自在に変化させて、多様なカット法を施せる。しかしながら、本来、順手用に設計されたはさみを逆手に持って作業すると、手首や腕、肩等を痛める虞があった。これは、順手と逆手とでは、指環に挿入する指が異なるため、元来、順手での使用を考慮したはさみでは、指環の位置や角度が逆手の場合の指の装着角度に適応していないことに起因している。この結果、不安定な握り方となり負傷や疲労の原因となっていた。
【０００７】
この問題を解消するため、順手及び逆手での使用に応じて、はさみの柄の角度や指環の位置を調節できるはさみが開発されている（例えば特許文献１）。図１８に示す理美容はさみ２００は、静刃２１１を有する第１のはさみ体２１０と、動刃２２１を有する第２のはさみ体２２０とを、支点軸ボルト２３０により回動自在に軸支している。さらに、第１のはさみ体２１０には、薬指を固定する指環２１６を備えた柄体２１３を有する。この柄体２１３は、静刃２１１とヒンジ体２１４を介して連結されており、この構造によって、柄体２１３が、直交する２方向において自在に回動して、角度を調節することができる。具体的に、ヒンジ体２１４の両端には固定ボルト２１５ａ、２１５ｂが装着されている。まず、ヒンジ体２１４の一端側、すなわち静刃２１１側に装着される固定ボルト２１５ａを調節することで、柄体２１３は、静刃２１１と動刃２２１との開閉方向に回動できる。また、ヒンジ体２１４の他端側、すなわち柄体２１３側に装着された固定ボルト２１５ｂを調節することで、柄体２１３は、静刃２１１と動刃２２１との開閉方向と直交方向に回動できる。
【０００８】
また、第２のはさみ体２２０では動刃２２１と柄体２２３が一体に形成されており、柄体２２３の一端には親指を挿入できる指環２２４が設けられている。この指環２２４は、柄体２２３の、刃先と反対側に位置する一端側と固定ボルト２１５ｃでもって連結されており、この固定ボルト２１５ｃでもって調節することで、指環２２４の角度を自在に調整できる。この構造により、各々の固定ボルト２１５ａ、２１５ｂ、２１５ｃを調節することで、順手及び逆手に応じて相違する指の挿入角度に対応した理美容はさみとできる。
【特許文献１】特開２００４−８４２８２号公報
【特許文献２】特開２００７−１８５４０５号公報
【発明の開示】
【発明が解決しようとする課題】
【０００９】
しかしながら、図１８の理美容はさみ２００の調節機能は、はさみを静止の状態で把持したときの姿勢を助けるにすぎず、使用に際しては使いづらい。これは、実際のカットの動作では、はさみを握り、かつはさみの刃を開閉しつつ、カットの対象体に対する刃の当接角度を変化させるために、はさみにひねりを加える必要があるからである。この一連の動作によって、はさみと手との相対位置が複雑に変化するため、静止状態のみの調節だけでは疲労の払拭には至らない。
【００１０】
例えば、図１８の理美容はさみを使用し頭部の所定領域に対してカットをする際、或いは、頭部から引き出した一束の毛に対して、種々の角度でもってはさみの刃を当てようとすると、はさみの刃の面や対象体に対して刃が当接する角度を種々に変化させる必要があり、この結果、手首を過度にひねる必要が生じてしまう。特に、手の構造上、手首を外側方向へひねるのは難しく腱鞘炎を誘発する虞があった。
【００１１】
本発明は、従来のこのような問題点を解消するためになされたものである。本発明の主な目的は、はさみを逆手に握った状態で、刃を開閉し、尚かつ刃の向きを変更する一連の動作を容易に行うことができる理美容はさみを提供することにある。
【課題を解決するための手段】
【００１２】
上記の目的を達成するために、本発明の第１の理美容はさみは、互いにすりあわせ可能な第１の刃１３および第２の刃２３と、第１の刃１３及び第２の刃２３とを回転可能に軸支している支点部３と、指を挿入して第１の刃１３及び第２の刃２３の開閉を操作するための第１の指環１１及び第２の指環２１と、を有する理美容はさみであって、第１の指環１１は使用者の親指を掛けられるように成形されており、第１の刃１３の下側に第２の刃２３が重ね合わされており、さらに第１の刃１３及び第２の刃２３の回転面Ｈ２よりも下側に第１の指環１１が位置し、かつ第１の指環１１と第１の刃１３との間に第２の刃２３が位置し、第１の指環１１及び第２の指環２１のそれぞれの形状面における略中心同士を結ぶ線Ｌ１が、第１の刃１３及び第２の刃２３の回転面Ｈ２と交差していることを特徴とする。
【００１３】
また、本発明の第２の理美容はさみは、回転面Ｈ２よりも上側に第２の指環２１が位置していることを特徴とする。
【００１４】
また、本発明の第３の理美容はさみは、第１の指環１１及び第２の指環２１におけるそれぞれの形状面の中心軸１５、２５が、互いにねじれの位置にあることを特徴とする。
【００１５】
また、本発明の第４の理美容はさみは、第２の指環２１は、人差し指、中指、薬指、小指よりなる群から選択される少なくとも一の指を掛けられるよう成形されていることを特徴とする。
【００１６】
また、本発明の第５の理美容はさみは、第２の指環２１と第２の刃２３との間に、指の少なくとも一部を接触可能な指当て部６が単数または複数形成されていることを特徴とする。
【００１７】
また、本発明の第６の理美容はさみは、第１の刃１３と第１の指環１１とに連結して第１の刃１３と第１の指環１１との相対位置を固定可能な第１の柄１２と、第２の刃２３と第２の指環２１とに連結して第２の刃２３と第２の指環２１との相対位置を固定可能な第２の柄２２と、を有しており、第２の柄２２の一部が、掌または指腹と当接可能に形成されていることを特徴とする。
【００１８】
また、本発明の第７の理美容はさみは、第１の柄１２あるいは第１の指環１１は、第２の柄２２側へと突出した領域７を備えており、刃先を開放した状態の第１の刃１３または第２の刃２３が、互いに近接する方向に回転する際に、第１の刃１３及び第２の刃２３が略重なる位置で、突出領域７が第２の指環２１あるいは第２の柄２２と接触すると共に、第１の刃１３及び第２の刃２３の回転を阻止することを特徴とする。
【００１９】
さらに、本発明の第８の理美容はさみは、第１の刃１３及び第２の刃２３を閉じた状態における支点部３を基準点Ｇとして、この基準点Ｇから刃先方向をｚ軸とし、かつ基準点Ｇを通過して回転面Ｈ２と直交する直線をｘ軸とし、さらに基準点Ｇを通過し回転面Ｈ２と平行かつｘ軸と直交する直線をｙ軸とした際のｘｙ平面視において、第１の指環１１を第１象限に配置させ、かつ第２の指環２１を第３象限または第４象限に位置する姿勢に構成してなることを特徴とする。
【００２０】
また、本発明の第９の理美容はさみは、第２の指環２１の形状面の中心点Ｊと基準点Ｇを結ぶ直線が、ｙ軸との成す角を０°〜９０°に設定してなることを特徴とする。
【００２１】
また、本発明の第１０の理美容はさみは、指当て部１６の少なくとも一部が円弧状に形成されていることを特徴とする。
【００２２】
また、本発明の第１１の理美容はさみは、第２の柄２２が、一端側にある第２の刃２３と対向する他端側に把持補助部１４を備えており、この把持補助部１４の先端が第２の指環２１よりも刃先と逆方向に突出していることを特徴とする。
【００２３】
また、本発明の第１２の理美容はさみは、第２の指環２１に連結され、かつ第１の指環１１側に突出した第２の把持補助部２４を備えることを特徴とする。
【発明の効果】
【００２４】
本発明の理美容はさみは、第１の指環及び第２の指環のそれぞれの形状面における略中心同士を結ぶ線が、第１の刃及び第２の刃の刃面を含む回転面と平行に配置されておらず、双方が交差する構造である。すなわち第１の指環とはさみの刃との相対位置を立体的に構成している。この立体的な構成により、刃の静動時における指環の軌跡を、理美容はさみを把持した状態の手の姿勢、および刃を開閉する際の手の運動姿勢と類似させている。これにより理美容はさみを使用する際の疲労を極減できる。加えて本発明の理美容はさみは、はさみを把持した状態における刃面の向きが、刃先方向を軸として小指側に回転させている。これにより、理美容はさみを使用する際、手首の構造上、負担の大きい側へのひねりを低減しつつ、かつ刃面の向きを広範囲にできる。すなわち作業者が理美容はさみを逆手に把持し、かつ刃を開閉しつつはさみの刃面の回転面を種々に変更させる動作において、手や手首、腕への負担を低減して楽に一連の動作を施すことができる。
【発明を実施するための最良の形態】
【００２５】
以下、本発明の実施の形態を図面に基づいて説明する。ただし、以下に示す実施の形態は、本発明の技術思想を具体化するための、理美容はさみを例示するものであって、本発明は、理美容はさみを以下のものに特定しない。さらに、本明細書は、特許請求の範囲を理解しやすいように、実施例に示される部材に対応する番号を、「特許請求の範囲」、及び「課題を解決するための手段の欄」に示される部材に付記している。ただ、特許請求の範囲に示される部材を、実施例の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【実施例１】
【００２６】
実施例１に係る理美容はさみ（以下、単に「はさみ」と記載することがある。）において、図１は閉刃状態の理美容はさみの斜視図、図２は閉刃状態の理美容はさみの斜視図、また図３は正面図、図４は背面図、図５は右側面図、図６は左側面図、図７は平面図、図８は底面図をそれぞれ示す。また、これらの図における共通の符号は、同一もしくは同質の部材を示しており、詳細な説明を適宜省略する。
【００２７】
図１〜図８の理美容はさみ１は、互いにすりあわせ可能な第１の刃１３および第２の刃２３（以下、単に「刃」と表記することもある。）と、この第１の刃１３及び第２の刃２３とを回転可能に軸支している支点部３とから主に構成される。また、理美容はさみ１は、指を掛けることができる第１の指環１１及び第２の指環２１（以下、単に「指環」と表記することもある。）を有しており、それぞれの指環１１、２１は、柄１２、２２でもって個々の刃１３、２３と連結されている。この指環１１、２１に使用者が指を掛けて動かすことで、刃１３、２３は支点部３を中心に回転し、すなわち指環１１、２１でもって刃１３、２３同士の開閉具合を調整できる。また、本明細書において柄１２、２２は、連結される指環によって、第１の柄１２、第２の柄２２と便宜上区別されて表記されることもある。また、「指環の形状面」とは、指環の環状を構成する輪郭の少なくとも一部を実質的に含む面を指す。
【００２８】
（刃の重なり具合）
実施例に係る理美容はさみ１において、第１の指環１１は親指用であって、すなわち親指を掛けられるように第１の指環１１を成形している。また、図１の理美容はさみ１は、第１の刃１３と第２の刃２３とをすりあわせた状態であり、第１の刃１３の背面側、すなわち図１における奥側に、第２の刃２３を重ね合わせている。この状態を理美容はさみ１の閉刃状態とする。この閉刃状態の理美容はさみ１を正面側（図１の左手前側）から見て、第１の刃１３を時計回りに回動させ、又は／かつ第２の刃２３を反時計回りに回動させて、両方の刃１３、２３の刃先を開放させたものが図２であり、この状態を理美容はさみ１の開刃状態とする。
【００２９】
また、図１〜図８に示すように、柄１２、２２は適宜所望の方向へと屈曲して成形され、刃１３、２３と指環１１、２１との相対位置を所定の姿勢に固定する。図２の例では、第１の柄１２の屈曲によって第１の指環１１が刃１３、２３の回転面Ｈ２よりも図の奥側に、第２の指環２１は回転面Ｈ２よりも図の手前側にそれぞれ位置している。すなわち、図１〜２、５〜６に示すように、第１の刃１３と第１の指環１１を連結する第１の柄１２が、第２の刃２３または第２の柄２２をまたぐように屈曲されている。言い換えると、図１、図５〜６に示すように、第１の指環１１と第１の刃１３との間に第２の刃２３が位置する姿勢に成形される。図２の例では、第１の柄１２の屈曲によって、第１の指環１１が刃１３、２３の回転面Ｈ２よりも図の奥側に、第２の指環２１は回転面Ｈ２よりも図の手前側にそれぞれ位置している。これにより図２に示すように指環１１、２１の形状面の略中心同士を結ぶ線（指環の中心結線）Ｌ１が、刃１３、２３の回転面Ｈ２と平行にならず、交差するように構成される。したがって、理美容はさみ１において図１の双方の刃先が鉛直方向に略一致する姿勢を基本姿勢とした場合、図２に示すように刃の開閉により構成される刃の回転面Ｈ２は、指環の中心結線Ｌ１を含有する鉛直方向の面Ｈ１（以下、「指環面」と表記することがある）と一致せず交差する。
【００３０】
（指環）
また、 図１〜図８に示す理美容はさみ１は、刃１３、２３の回転面Ｈ２と、第１の指環１１の形状面と、第２の指環２１の形状面とが、それぞれ別個の平面上に形成されており、同一平面状に位置しない。加えて、図１に示すように第１の指環１１及び第２の指環におけるそれぞれの形状面の中心軸１５、２５を、互いにねじれの位置関係に位置させて、理美容はさみ１を立体的に構成している。さらに図１の例では第２の指環２１の中心軸２５が、第２の刃２３の軸方向と略平行にある。
【００３１】
また、実施例１の指環１１、２１は図１〜８に示すように環状であって、この環状の中空に指を挿入することで、指の周囲と指環の内面とを接触可能にする。これにより、指環１１、２１と指との密着度を増して、この指環１１、２１でもってしっかりと理美容はさみ１を固定し、刃の開閉具合や刃先方向を自在に制御できる。ただ、指環１１、２１の形状はこれに限定されず、指の周囲の少なくとも一部が接触可能なものであれば種々の形状とでき、例えば指環の環状の環状の一部を開放したもの、環状の径を調節可能なものなど適宜選択できる。
【００３２】
実施例１の理美容はさみ１において、指環１１、２１と刃１３、２３の相対位置が重要であり、詳しくは後述するが、双方が所定の位置関係になるよう柄１２、２２でもって固定される。これは、指環の位置が使用者の作業のし易さ、疲れにくさを大きく左右するからである。はさみと手の関係において、指を指環に掛けてはさみを把持すれば、自ずと手とはさみの相対位置が決定する。つまり、はさみの把持スタイルは指環の位置に依存するところが大きい。加えてはさみの開閉時においても、指の動きは指環の動きに規定される。すなわち、はさみのような形状を固定された機器にあっては、はさみの機械的な構造に指の動きが強制されるため、手の動きとはさみの動きが大きく相違すれば疲労の原因となりうる。したがって閉刃状態における指環の位置を、自然な指の動きと一致するように配置することが好ましい。また、はさみの指環の変位の軌跡が、刃を開閉する際の指の動きと実質的に一致することが好ましい。これにより、指環の機械的動作と手の構造による動きとが相似するため、使用者の疲労を軽減し、ひいては作業の効率性が増す。
【００３３】
（第１の指環）
以下に指環の形成位置について、それぞれの指環毎に説明する。まず実施例１に係る第１の指環１１は、第１の柄１２の一端に連結されており、指環１１の形状面は図１に示すように、柄１２の軸方向よりも上方に起きあがった姿勢に構成される。さらに、指環１１の形状面を第１の刃１３の回転方向にひねった姿勢に配置することが好ましい。具体的な指環１１の形状面について図９を用いて説明する。図９は第１の指環１１の形状面の向きを説明するための説明図であって、第１の刃１３と第１の指環１１との相対位置を示すために、理美容はさみ１の部材を空間座標に模擬的に配置した状態を示す。図９において空間座標の原点Ｃは第１の指環１１と第１の柄１２との連結位置であり、またｚ軸は刃の軸方向に相当する。第１の指環１１の形状面は、第１の刃１３に対して立体的に連結されているが、指環１１の形状面は、柄１２の軸方向Ｄ１とｘ軸とを含有する基本平面Ｆ１から２段階の配向変化を組み合わせたものと考えると分かり易く、ここでは各段階における配向の変化を個別に説明する。ただし、実際に第１の指環１１を形成するときは、以下の２段階を順不同に経てもよく、あるいは最終的な相対位置を満足するよう直接的に成形することもできる。
【００３４】
まず１段階目として、図９（ａ）に示すように、ｘ軸を軸にして基本面Ｆ１をｚｘ平面の正領域に近接する方へ回転させた面を第２面Ｆ２とする。基本面Ｆ１から第２面Ｆ２への回転量Ａ１は０〜９０°が好ましく、さらに５〜８０°が一層好ましい。この第２面Ｆ２に、さらに２段階目の角度変化を加える。すなわち図９（ｂ）に示すように、原点Ｃを通る第１の指環１１の直径方向Ｄ２を軸として、第２面Ｆ２を、軸Ｄ２の正方向から見て反時計方向に回転させた面を第３面Ｆ３とする。第２面Ｆ２から第３面Ｆ３への回転量Ａ２は０〜１２０°が好ましく、さらに５〜８０°が一層好ましい。実施例１の第１の指環１１においては、指環の原点Ｃを基準点として、指環の形状面が第３面Ｆ３に含有される位置および姿勢に形成されて、第１の刃１３とを固定する。また、柄１２の長さは１〜６ｃｍが好ましく、これにより刃１３と指環１１とを好適に離間して、はさみと指の動きをスムーズにできる。
【００３５】
（第２の指環）
一方、第２の刃２３に対する第２の指環２１の相対位置を図１０を用いて説明する。図１０は、背面側から見た理美容はさみ１の部材を空間座標に模擬的に配置した状態を示す説明図であって、第２の指環２１と第２の柄２２との連結位置を空間座標の原点Ｃ’とし、さらにｚ軸は第２の刃２３の軸方向に相当する。第２の指環２１の形状面は、原点Ｃ’を支点にして、第２の柄２２の軸方向ｄ１よりも下方側に傾斜し、さらに一あるいは複数回の回転移動を経た姿勢に構成される。実施例では指環２１の形状面と刃２３との相対位置について、第１の指環１１と同様、基準面から３段階の配向変化を組み合わせて達成されたと仮定し、各段階の配向変化を以下に説明する。ただし、指環と刃との相対位置を構成する際には、上記の２段階を順不同に組み合わせて達成してもよく、あるいは最終的な相対位置を決定してから柄でもって固定するなど、その方法については限定しない。
【００３６】
まず、図１０に示すように、刃２３と直交するｘｙ平面を基本面ｆ１とし、この基本面ｆ１を、ｘ軸を軸としｘ軸の正方向から見て時計側へと回転させたものを第２面ｆ２とする。基本面ｆ１から第２面ｆ２への回転量ａ１は０〜９０°が好ましく、さらに５〜８０°が一層好ましい。この回転に加えて、図１１に示すように、指環２１を第２面ｆ２の面上において、ｚ軸の正方向から見て時計方向（図１１に示す太線の矢印方向）へと、０〜１２０°の範囲、より好ましくは５°〜８０°の範囲において回転させてもよい。続いて、第２面ｆ２に、さらに２段階目の角度変化を加える。すなわち図１２に示すように、原点Ｃ’を通る第２の指環２１の直径方向ｄ２を軸として、第２面ｆ２を時計方向に回転させた面を第３面ｆ３とする。第２面ｆ２から第３面ｆ３への回転量ａ２は０〜９０°が好ましく、さらに５〜８０°が一層好ましい。実施例１の第２の指環２１は、指環の原点Ｃ’を基準点として、指環の形状面が第３面ｆ３に含有される位置および姿勢に形成されて、第２の刃２３とを固定する。
【００３７】
また、図６に示すように、実施例１に係る第２の柄２２は、その軸方向ｄ１を正面方向（図６の右方向）へと傾斜している。具体的に第２の柄２２の軸方向ｄ１は、第２の刃２３の軸方向に相当するｚ軸と０〜９０°の範囲、より好ましくは５°〜８０°の範囲で傾斜角度ａ３を構成する。この範囲の傾斜であれば、第２の指環に挿入される指の先端領域が、後述する指当て部６と接面しやすくでき、すなわちはさみの固定が一層安定化するため好ましい。ただ、傾斜を設けずに、すなわち第２の柄２２を、第２の刃２３から刃の軸方向へと延伸し、すなわち第２の柄２２の軸方向ｄ１を第２の刃２３の軸と略同一としてもよい。これにより設計および製造が容易となる。
【００３８】
また、柄１２、２２は、刃と指環との相対位置を上記のように所定の位置に固定するものであればその成形方法は特に限定されない。例えば、一体に成形されたはさみの柄の一部に研削盤等で切り込みを入れ、この切り込み部を加圧して柄を所定の方向に折曲させる方法や、あるいは刃と指環とを所定の位置に位置決めした後に、別個の柄部によって双方を連結させて刃と指環との相対位置を固定してもよい。さらに、刃面に対する指環の相対位置を固定し、刃の開閉運動にあってもその変形しない程度の強度を有するものであれば、柄１２、２２の材質は特に限定されない。例えば刃と同じ材質とできる他、熱可塑性等の樹脂や、刃と異なる金属材質などが利用できる。また、各部材同士をねじやピンなどの回動軸で連結することにより部材を回転式とすることもできる。例えば指環１１、２１と柄１２、２２との連結部や、柄１２、２２と刃１３、２３との連結部などを回動軸で連結する、あるいは柄１２、２２を複数に分割し、各小部材を回動軸で連結させることで、部材同士の連結角度を自在としてはさみを立体的に構成し、使用者の手の大きさや指の長さに応じて角度を調節することもできる。
【００３９】
（指と指環の動き）
実施例１の理美容はさみ１は、刃と指環との相対位置を上記の範囲とすることで、使用者がはさみを把持した状態の指の軸方向と指環の中心軸の方向とを略一致させ、さらに第１の指環の中心軸１５の軌跡を、刃の開閉動作における親指の軸の軌跡とを近似させることができる。以下に使用時の手の動きと理美容はさみの動きについて図１３を用いて説明する。図１３は理美容はさみの使用状態を示す説明図であり、（ａ）は閉刃状態における把持状態、（ｂ）は開刃状態における把持状態をそれぞれ示す。ただし、図１３（ａ）の説明図では、親指の支持位置を明確にするために、故意に人差し指と中指を上方に挙げて親指を露出させた状態を表記している。
【００４０】
（使用状態）
作業者が理美容はさみ１を使用する際、図１３に示すように、第１の指環１１の中空に第１の指Ｂ１である親指を図１３の背面側から挿入すると共に、第２の指環２１に第２の指Ｂ２である薬指を上方から挿入する。そして、第１の指Ｂ１を外側へ動かすことで、図１３（ｂ）に示すように第１の指環１１が外方へと変位し、これに連動してはさみの刃１３、２３が開く。理美容はさみ１は、刃１３、２３の開放時に第２の刃２３でとらえた対象物を、第１の刃１３が第２の刃２３側へ近寄り、最終的に図１３（ａ）に示すように第１の刃１３と第２の刃２３が摺り合わさることによって、対象物を切断できる。このような役割の差から、第１の刃を動刃１３、第２の刃２３を静刃とも呼ぶ。ただし、静刃とは二枚の刃の役割の差より命名したものであって、常に静止している訳ではない。
【００４１】
一方、親指は手の関節の構造により、他の指に比べて非常によく動く。また、親指を屈曲したときに、親指が他の四つの指と向かい合う。したがって、第１の指環に掛かる指を親指とし、この親指でもって理美容はさみ１の動刃１３側の回転を調整することが指の構造から好ましい。
【００４２】
また、上述したように、理美容はさみ１における指環１１、２１の各中心軸１５、２５（図１参照）が、はさみを把持した姿勢の手の指において、指環１１、２１に挿入する各指の付け根付近の軸方向に相当している。この結果、各指環１１、２１にそれぞれの指Ｂ１、Ｂ２を挿入して理美容はさみ１を逆手で把持すると、こぶしを作った姿勢の手の指に各指環が自然にフィットする。理美容はさみ１の把持状態では、図１３（ａ）に示すように、指環１１、２１の下方に設けられた刃１３、２３の尖端が鉛直方向となり、すなわち、理美容はさみ１がこぶしの下にぶら下がった姿勢となる。つまり、理美容はさみ１の上方からはさみの重みを支持できるため、理美容はさみ１を横方向から支持する従来の場合と比較して、手首への負担が低減されて楽に持つことができる。この結果、理美容はさみ１の刃１３、２３の動きが自在となり、機敏な刃裁きができるとともに手も疲れない。
【００４３】
さらに、刃が開閉する際の指環における法線の軌跡が、親指を開閉する際の親指の軸骨の軌跡に略等しくできる。詳しくは、閉刃状態から開刃状態への指環１１の変位において、指環１１の中心軸１５の方向を、図１３（ａ）、（ｂ）に示す親指の軸Ｐの方向と略同一とできる。すなわち、はさみの機械的動作と指の動きとが実質的に一致するため、はさみの開閉作業による指の負担を低減して楽に操作を行うことができる。
【００４４】
（指当て部）
また、実施例１に係る第２の柄２２は、図１、図６、図１３などに示すように、第２の刃２３と第２の指環２１との間に指当て部６を備える。第２の指Ｂ２が指環２１に挿入されて、さらに指の腹を指当て部６に当接あるいは系止させることで、はさみの支持を一層安定化できる。したがって、指当て部６は、少なくとも指の腹が当接可能であれば特にその形状及び材質は特に限定されない。図１３の例では、柄と同様の材質であって線状に構成され、さらに第２の柄２２の軸方向に略直交して連結されている。また、摩擦力を増すために指当て部６の表面をシボ加工したり、あるいは摩擦係数の高いゴムなどの弾性材で被覆することもできる。
【００４５】
また、指当て部６の指が当接される領域の外面形状を、指の腹の形状に合わせて密着度増加させることもできる。さらに図５、図６に示すように、指当て部６を前方へと突出させて柄２２と段差を設けることにより、この段差の下側に指を掛けることが可能となってよりはさみを把持しやすくできる。特に、指当て部６に指を掛けることで、この指当て部６の下方側から上方へと持ち上げるように支持でき、すなわちはさみの重力を受けることができるため、逆手持ちの把持状態において指が指環から抜けて理美容はさみ１が下方へと落下するのを回避できる。特に、逆手用のはさみは下向きに構える、すなわち人差し指などが下方に向いた状態ではさみを把持する構造上、はさみの自重で下方に抜け落ちやすいという問題がある。このような構造にかんがみ、本実施例では上述のとおり指当て部などの形状を工夫することで、ずり落ちにくく把持しやすいはさみを実現している。
【００４６】
さらに、指当て部６を複数設けて、それぞれの指当て部６に該当する指を当接、あるいは引っ掛けることで、はさみを支持する負担を分散することもできる。あるいは、一の指当て部でもって複数の指を当接させてもよい。例えば実施例１では、図１３（ａ）に示すように、指当て部６の長手方向における長さを、当接される複数の指の腹の領域を含有する程度に延伸させている。使用に際しては、動刃１３側の第１の指環１１の中空に、背面側から親指を挿入する。これと同時に、第２の指環２１に上方から薬指を第１間接付近まで挿入して、薬指の内側の側面領域を指当て部６に接面させる。さらに、中指の第１間接を曲げて指当て部６の下面側に中指の腹を当接させる。これにより、中指の腹でもって指当て部６を下面側から上方へ押し上げる姿勢とできる。この結果、静刃側を確実に固定し、動刃の迅速な回動運動が実現されて好ましい。加えて、指当て部６に指を引っかけて下側よりはさみを持ち上げることで刃先を上方へ配向でき、すなわち刃先の方向を広範囲に制御でき好ましい。このように指当て部６は、複数の指が当接できるように構成されることが好ましいが、一方、中指用あるいは薬指用など、いずれか一の指に対応した指当て部６が一つ設けられている構成でも良い。
【００４７】
また、実施例１の理美容はさみは、刃の閉じ位置を決定可能なストッパーを備えてもよい。ストッパーとは、開刃状態の刃１３、２３が互いに近接する方向に回転する際に、双方の刃１３、２３が略重なる位置で刃の回転を阻止させ、刃の積層位置よりもさらに刃の回転が進行するのを抑止する役割を担う。図１〜図１３の例では、第１の指環１１の一部から、第２の指環２１側へと突出した領域７をストッパーとし、刃１３、２３の閉刃状態ではストッパー７が第２の柄２２の先端部と当接するよう構成されている。言い換えると、ストッパー７が第２の柄２２と接触することで指環１１の変位運動が停止するとともに刃の閉じ位置となる。ストッパー７の形状や形成位置および接触する部位については特に限定されず、ストッパー７の材質についても種々のものとできる。ただストッパーまたはストッパーが当接される部位においては、接触時の騒音や応力を吸収可能なゴムや樹脂などの弾性体が好ましい。
【００４８】
さらに、第２の柄２２は、掌と当接可能な把持補助部４を設けても良い。図１の例では、把持補助部４として、第２の柄２２の先端領域、すなわち第２の指環２２との連結位置から先端部にかけて上方へと湾曲させている。理美容はさみ１を把持した際、この湾曲部が掌における指の付け根近傍あるいは指腹と当接される。これにより指当て部６と湾曲部とを、中指と掌近傍とで挟む姿勢とでできるため、静刃側を一層安定して把持できる。さらに、湾曲部と当接された掌部を支点とし、指当て部６に中指あるいは他の指をかけて理美容はさみ１を下方から上方へと引き上げることで、刃先を上向きへと容易に起こすことができる。すなわち刃先の向きを容易に変更でき好ましい。ただ、把持補助部４の形状としては、第２の柄２２の先端領域における湾曲状に限定されない。例えば掌との当接領域を増大させるため、面状など種々の形状とできる他、別個の部材を連結させてもよい。また、把持補助部４の形成箇所は第２の柄２２に限定されないが、静刃側に連結された部材に形成されることが好ましい。これにより静刃側を確実に把持して、刃の開閉運動の制御がしやすくなる。実施例１に係る第２の柄２２では、柄の一部を掌に接触できるよう成形することでこれを把持補助部４とし、さらに柄２２の先端を弾性材のキャップで被覆することでストッパー７の当接部としても併用している。
【００４９】
（刃の積層順）
また、実施例１の理美容はさみ１では、従来のはさみと比べて刃の重なり方が異なる。すなわち作業者がはさみを逆手で使用する場合、従来のはさみでは図１７、図１８に示すように、動刃１０２、２２１が静刃１０１、２１１の上側、すなわち作業者から離間側に重ねられる。一方、実施例１の理美容はさみ１では、図１〜図１３に示すように、刃の積層順が相反しており、すなわち静刃２３が動刃１３の上方側であって、動刃１３が作業者から遠隔側に位置する。これは、従来の順手用のはさみであって、かつ左利き用はさみの刃の重なり方に匹敵する。この構造により刃１３、２３をすりあわせる際に、作業者は第１の指環１１を遠隔側へと押し気味に移動させればよく、手前に引く必要がない。これは、てこの原理に起因する。つまり、支点部３を支点とし、力点側である親指側の柄１２を遠隔側へと押圧すれば、作用点側である動刃１３を内方側、すなわち静刃２３側に近接させて、双方の刃のすりあわせがより良くなる。
【００５０】
従来のはさみであれば、刃のすりあわせを意識して、指環を手の甲側すなわち作業者側へと引き上げながら、かつ指環を人差し指側へと近接させる必要があり、この動作は親指の構造上容易でないため不自然な力が入って過労のひきがねとなる。あるいは、支点部３のねじをきつく締めて刃の良好なすりあわせを実現しようとすれば、刃同士の摩擦力が大きくなって刃の開閉に要する力が増す。この結果、使用者は疲れやすくなる。対して、実施例１の理美容はさみによる刃の積層順であれば、上述の通り親指の挿入方向が、良好な刃のすりあわせを実現するための力点側での押圧方向に一致する。したがって、特に意識せずに挿入方向へと指環を押圧することとなり、つまり親指の自然な動きで良好な刃のすりあわせを実現できる。これは指環を手前側に引き上げる動作と比較して、手に対する負担を著しく低減するとともに、刃の開閉運動の速度を精度良く制御できる。加えて、支点部３のねじをゆるくできるため軽い力での刃の開閉が可能となり、疲労を一層削減できる。
【００５１】
（刃面の向き）
また、実施例１の理美容はさみ１は、作業者が理美容はさみ１を把持した際、理美容はさみ１の刃面が第２の指環２１側すなわち作業者の小指側に向くよう構成されている。この刃面のひねりについて図２を用いて説明する。図２に示すように、指環１１、２１の中心結線Ｌ１が、刃１３、２３の回転面Ｈ２と交差している。  言い換えると、指環１１、２１の中心結線Ｌ１を含む指環面Ｈ１は、第１及び第２の刃の刃面を含む回転面Ｈ２と平行ではなく、交差する姿勢に構成されている。すなわち、指環面Ｈ１と刃面Ｈ２は、鉛直方向を軸にして０°より大きく９０°以下、より好ましくは５°〜８０°の回転角Ａ３でもって交差している。
【００５２】
一方、作業者が理美容はさみを把持した際の、手と刃面の関係について図１４を用いて説明する。図１４は把持状態における手とはさみによるカット方向との関係を示す説明図であって、ヘアカットを施す作業者Ｉと被理髪者Ｙを上方から見た簡略図である。まず、作業者Ｉのはさみの把持姿勢において、作業者が手首を略まっすぐにした状態であって、かつ指環面Ｈ１が自身あるいは対象物に対して略平行になる姿勢を基準の把持姿勢とする。言い換えると、基準の把持姿勢において、作業者Ｉあるいは被理髪者Ｙは指環面Ｈ１とは略平行であるが、刃面Ｈ２は作業者の小指側に配向している。すなわち、理美容はさみ１を作業者Ｉが握り、作業者Ｉがこの理美容はさみ１を上方から見た際、刃面Ｈ２は鉛直方向の軸を基準にして時計回り方向へＡ３の回転角だけ回転した状態、すなわち図１４で示す右斜め下方向にひねった姿勢に構成されている。
【００５３】
上記の刃面Ｈ２のひねりによって、作業者の手のひねりの負担が軽減されるとともに、刃面の実現可能な配向角度を増加させられる。これについて図１４を用いて説明する。作業者Ｉが被理髪者Ｙの背後に立ってヘアカットをする際、利き手側と反対領域（右利きの作業者であれば被理髪者Ｉの左側領域）では、手首を外方側へひねった状態で刃の開閉動作を繰り返す必要がある。また頭部より引き出した髪の一束に対して、複数方向からの刃入れをする場合においても、手首でひねってはさみの刃面を種々に変更する必要があり、従来のはさみでは疲労の原因となっていた。例えばドライカットではまず作業者Ｉは、図１４に示すように被理髪者Ｙの毛の一束８を頭部から引き出す。この毛束８の毛先の角をカットしてを鉛筆状に調髪する。カットした毛束８を開放する。再び別の毛の一束を頭部から引き出して毛先の角をカットし、この毛束を尖塔状に理髪する。これを繰り返す。
【００５４】
具体的に、図１４に示すように、任意の一束の毛束８における対称な２角を切り落とすため、刃を２方向Ｃ１、Ｃ２（図１４の矢印方向）から入れる際、従来のはさみでこれを実現しようとすれば、手首を大きくひねる必要が生じる。なぜなら従来のはさみでは、指環面ｈ１と刃面Ｈ２とが略同一であるため、刃面Ｈ２の配向角度と同等の配向角度だけ指環面ｈ１をひねる必要があり手首の負担が大きい。特に手首の構造上、手首を外側方向へひねる動作は、内側方向へのひねりの動作と比較して困難であり、したがって可能なひねり角度も低減される。例えば図１４の場合、Ｃ１方向の刃面を達成しようとすれば手首を右側にひねる必要があり、加えて、従来のはさみであれば動刃側の指環を引き上げながらの開閉運動が要求されるため一層の負担が生じる。
【００５５】
一方、実施例１の理美容はさみ１であれば、手首の負担を低減させて刃面を外側に配向させることができる。具体的に、図１４においてＣ１方向のカットを施そうとすれば、Ｃ１方向と平行な刃面Ｈ２を達成するのに必要な指環面Ｈ１は、刃面Ｈ２と同一ではなく、作業者側である手前に位置している。すなわち、上述したように基準の把持姿勢で既に刃面Ｈ２が外側方向（図１４における右側方向）へと回転しているため、この刃面Ｈ２の回転具合を達成するのに必要な指環面Ｈ１のひねり具合は低減される。この結果、図示されるように実際の手首のひねりが低減されて著しく手首への負担が減少する。
【００５６】
また、Ｃ２方向における刃面Ｈ２を達成しようとすれば、図１４に示されるように指環面Ｈ１を構成する必要がある。このＣ２方向における刃面Ｈ２に関しては、手首を内側へひねることで達成できる。ただ図示するように、実施例１の理美容はさみであれば実際の指環面Ｈ１のひねり方向が刃面Ｈ２よりも大きいため、すなわち刃面と指環面が同一である従来の理美容はさみと比べて、指環面を構成する手首のひねり具合が大きくなる。しかしながら、上述したように、内側方向への手首のひねりは外側方向と比較して容易であるため、内側方向へのひねりの度合いが多少増加したとしても負担の大きさはさほど変化しない。
【００５７】
上記のように、手首のひねりに関して負担の大きい外側方向へのひねりの必要性を低減させることで、刃面の実現可能な配向角度を増加させることができる。図１５は刃面Ｈ２の配向可能な領域を示す説明図である。図１５中、斜線領域は従来の理美容はさみでもって実現可能な領域Ｒ１を、一方、ドット領域は実施例１の理美容はさみでもって実現可能な領域Ｒ２を示す。ただし、手首のひねりの限度は個々のばらつきがあるため刃面配向の実現可能な領域にズレはあるが、ここでは従来の理美容はさみの実現可能な領域を基準にして、実施例１の理美容はさみの刃面領域を説明する。また、図１５は、図１４と同様、右利きの作業者Ｉと被理髪者Ｙを上方から見た簡略図である。
【００５８】
上述の通り刃面Ｈ２と指環面ｈ１とが同一である従来の理美容はさみでは、刃面Ｈ２と指環面ｈ１の配向可能な領域が等しい。すなわち手首のひねりによって実現可能な指環面ｈ２の領域が、刃面Ｈ２の配向可能な領域となる。したがって図１５に示すように手首の負担の大きい側に相当する対象体の左半球側では、従来の理美容はさみの配向可能な領域Ｒ１が乏しい。一方、実施例１における理美容はさみの配向可能な領域Ｒ２は、あらかじめ刃面の向きが外側方向に配向されているため、これが助長されて、同じ手首のひねり具合であっても、より広範囲な領域でカットできる。
【００５９】
また、被理髪者Ｙである対象体の右半球においては、手首のひねりを内側にして実現できる範囲に相当するが、上述の通り、手首のひねり角度の相違による負担がさほど影響がないため、Ｒ１とＲ２での領域にあまり差がない。つまり、従来の理美容はさみでは、負担の大きい左半球側と負担の少ない右半球側において、刃面の配向可能な領域のバランスが悪かったが、実施例１の理美容はさみではこれが解消されて、ほぼ対称な配向領域を実現できて好ましい。加えて、配向領域の増減に大きく影響を及ぼす左半球側での作業領域が増大するため、右半球側の配向領域がわずかながら減少しても、総合的な配向領域を増加できる。ただ、この配向領域は、従来のはさみであっても作業者Ｉの立ち位置を変更することで実現可能ではある。しかし、作業者Ｉが動く必要があり面倒である。実施例の理美容はさみ１であれば、同じ立ち位置でありながら手首のひねりを少なくして広範囲にカットをすることができる。また作業者の移動量も少なくできるため作業の効率性が高まる。
【００６０】
以上のように、基準の把持姿勢による刃面のひねり具合は、指環面Ｈ１と刃面Ｈ２とで構成される角度Ａ３（図２参照）に依存される。この指環面Ｈ１と刃面Ｈ２とにより構成される角度Ａ３は０°より大きく９０°以下でることが好ましく、特に５°〜８０°であることが一層好ましい。この範囲であれば上記の効果を有効に得られる。角度Ａ３が小さければ刃面のひねりの度合いが小さく、９０°より大きければ、手首の内側方向へのひねりにおいて、従来の理美容はさみと実施例１の理美容はさみとの差が無視できないほどの負担となる。
また、第２の指環２１に掛ける第２の指Ｂ２は薬指に限定されず、人差し指、中指、小指のいずれでもよい。親指と組み合わさる第２の指Ｂ２を択一とすることで、各指における理美容はさみの把持姿勢を変化できる。すなわち基準の把持状態における刃面のひねり角度Ａ３を、選択される第２の指によって調整できる。言い換えると、第２の指環２１への挿入指でもって刃面Ｈ２の方向を段階的に変化でき、刃面の方向性を広範囲にできる。
また、図１〜図１３は右利き用の理美容はさみであり、すなわち右利きの作業者が第１の指環に親指をいれて使用するための理美容はさみである。この理美容はさみの構造を左利き用の理美容はさみに利用できることは言うまでもない。すなわち動刃側の第１の刃が、第２の刃の上に重ね合わされ、すなわち第１の刃が使用者から遠隔側に位置する。そして各指環の位置が利き手の指の位置に略一致するよう、刃に対する指環の相対位置が上記のように保持されていれば、理美容はさみの形状及び材質については特に限定されず種々のものとできる。
【実施例２】
【００６１】
さらに理美容はさみの把持補助部は、上述の通り湾曲状の他、種々の形状とできる。例えば把持補助部を刃の延伸方向と実質上一致させて直線状とした理美容はさみ２０を実施例２とし、この理美容はさみ２０の正面図を図１９に示す。また図１９の理美容はさみ２０を把持した様子を図２１に示す。この実施例２の理美容はさみ２０において、実施例１の理美容はさみ１と同一の部材や構造については同一の符号を付して図示しており、適宜詳細な説明を省略する。
【００６２】
実施例２の理美容はさみ２０は、図１９、図２１に示すように、実施例１と同様、第２の柄２２の延長上に把持補助部１４を備える。具体的に把持補助部１４は、第２の柄２２において一端側の第２の刃２３と対向する他端側に備えられる。そして把持補助部１４は第２の柄２２から連続した直線状であって、端部は第２の指環２１よりも上方（刃先と逆方向）に突出している。図１９、図２１の例では、第２の刃２３、第２の柄２２、把持補助部１４が、長手方向に連続して一直線状に成形されている。ただ、これらの部材の延伸方向を精密に一致させる必要はない。例えば図２３に示す理美容はさみは、実施例２の別の形態に係る理美容はさみの正面図であり、図１９の理美容はさみと比較して、第２の柄２２及び把持補助部１４の延伸方向が異なる。すなわち第２の柄２２が、第２の刃２３との連結域から図２３における左側、つまり第１の指環１１から離間する方向へと傾斜している。さらに把持補助部１４は、この傾斜した第２の柄２２の延長上であって把持補助部１４と連続して設けられている。つまり、把持補助部１４の先端側につれて、第１の指環１１から離間した形状となり、これにより第１の指環１１と第２の指環２１間の空間スペースを稼ぐことができる。この結果、使用者がはさみ２０を把持した状態で、第１の指Ｂ１と第２の指Ｂ２との間の第３の指Ｂ３をこのスペース内に配置させて、第２の指と第３の指でもって把持補助部１４を狭持しやすくできる。あるいは、第２の柄２２における一端から他端までの中途位置を支点として、第２の柄２２を外側（図２３の左側）へと傾斜させることで、第１の柄１２及び第２の柄２２とを離間させ、第１の指環１１及び第２の指環２１間の空間スペースを確保する形態としてもよい。さらに第２の柄２２の傾斜に合わせて、第１の刃１３からの第１の柄１２の延伸方向や、第１の柄１２と第１の指環１１との連結角度を適宜調節して、把持状態を調整することができる。また把持補助部１４は、第２の柄２２と同一の部材で構成できる他、把持補助部１４と第２の柄２２とを別個の部材としてこれらを連結させ、一体とする形態としてもよい。
【００６３】
作業者が第１の指環１１及び第２の指環２１に、第１の指Ｂ１及び第２の指Ｂ２をそれぞれ挿入すると、図２１に示すように第１の指Ｂ１と第２の指Ｂ２の間に位置する第３の指Ｂ３が、直線状把持補助部１４に当接する。具体的に、第１の指環１１に親指Ｂ１を挿入し、さらに第２の指環２１に中指Ｂ２を挿入する形態では、人差し指が第３の指Ｂ３に相当し、この人差し指Ｂ３が直線状把持補助部１４に接触した状態となる。そして、これとほぼ同時に第２の指環２に挿通した中指Ｂ２も直線状把持補助部１４に当接し、したがって人差し指Ｂ２と中指Ｂ３とで直線状把持補助部材１４を狭着する姿勢とできる。つまり把持補助部１４を設けることで、複数の指で静刃２３側を安定して支持することができ、はさみ２０の使用における能率性、安全性を高められる。
【００６４】
さらに理美容はさみ２０は、静刃２３側の安定した支持を図るため、種々の部材を追加、あるいは既出の部材の形状を変形してもよい。例えば図１９に示すように、指当て部１６を環状とできる。この指当て部１６は、実施例１の指当て部６と同様に、第２の指環２１と第２の刃との間に位置しており、指の少なくとも一部を接触可能に形成されている。さらに具体的に指当て部１６は、第２の指環２１と支点部３との間に固定される。そして指当て部１６と第２の柄２２との連結領域は、第２の指環２１と第２の柄２２との連結域の下方に位置する。また指当て部１６の内面の少なくとも一部が、第２の指Ｂ２の外面に沿う形状に形成されることが好ましい。これにより第２の指Ｂ２を第２の指環２１に掛けた状態で、第２の指Ｂ２の先端側を指当て部１６にしっかりと当接させることができ、この結果はさみ２０を安定して把持できる。
【００６５】
また第２の指環２１と指当て部１６との離間距離は特に限定されない。例えば指当て部１６を第２の指Ｂ２の関節に当接可能な位置に固定することで、関節の折曲部に指当て部１６の枠を挟みこみ、かつ指の腹で指当て部１６を下から上へ持ち上げる姿勢に支持できる。この結果、刃先を下方にしてはさみ２０把持する際に、はさみ２０が鉛直方向に落下することを回避でき好ましい。
【００６６】
また、第２の指環２１と第２の柄２２との連結点及び第２の指環２１の中心点との結線を第２の指環軸ｔ２とし、同様に指当て部１６と第２の柄２２との連結点及び該指当て部１６の中心点との結線を指当て部軸ｔ４とする。そして第２の指環２１の外形を含む形状面ｕ１が、第２の柄２２と直交する面から０°〜３０°の範囲で下方に傾斜可能とする。すなわち図１９、図２３に示すように、第２の指環軸ｔ２と刃先の延伸方向とのなす角度ｅ１が６０°〜９０°になる姿勢でもって第２の柄２２に固定されることが好ましい。さらにこれに加えて、第２の指環の形状面ｕ１は、この第２の指環軸ｔ２を中心とし回転可能とする。詳しくは図２０に示すように、第２の指環軸ｔ２と刃先方向とのなす角ｅ１を上記の範囲（６０°〜９０°）に維持しながら、該第２の指環軸ｔ２を軸として、この軸ｔ２を含有する指環の形状面ｕ１を、図面における手前あるいは奥方向に回転量ｖだけ回転させた面ｕ１’とできる。つまり第２の指環２１は図２０で示すように、第２の柄２２との連結点を中心として、図面における手前あるいは奥方向に回転した位置で固定される。この第２の指環２１の形状面の回転量ｖは、平面ｕ１を基準として、第２の柄を対称に０°から±１０°の範囲とする。
【００６７】
さらに指当て部１６に関しても、上記の第２の指環２１と同様の範囲で固定位置を変動できる。すなわち指当て部１６は、刃先の延伸方向とのなす角度ｅ２を６０°〜９０°に維持しながら、指当て部軸ｔ４を軸として指当て部１６の外形を含有する形状面ｕ２を、図面における手前あるいは奥方向に上記の回転量ｖだけ回転させた面ｕ２’とできる。指当て部１６は、指当て部１６の外形を含有する形状面ｕ２の法線を、第２の指環２１の中心軸と略同一として、指当て部１６のこの法線が、第２の指環２１と指当て部１６との両方に掛けた第２の指Ｂ２の挿入方向と略一致するように配置されることが好ましい。言い換えると、第２の指環２１の形状面ｕ１、ｕ１’と、指当て部１６の外形を含む形状面ｕ２、ｕ２’とを略平行とすることが好ましい。第２の指環２１及び指当て部１６の配置位置または相対位置を上記の通りとすることで、手の作業姿勢に実質上整合した理美容はさみ２０とできる。したがって理美容はさみ２０を自然に把持でき、はさみの使用による疲労を極減できる。一方で図２２に示すように、第２の指環２１と指当て部１６において、第２の柄２２から遠方側で互いに接近する構造としてもよい。これにより第２の指環２１と指当て部１６における各形状面の法線方向が相違するため、挿入する指に対して係合しやすくなる。言い換えるとはさみ２０が指から抜け落ちにくくなって使用の安全性が高まると同時に、刃先の動きを有効に制御できる。具体的に指当て部１６は、第２の指環２１と比較して刃先の延伸方向とのなす角度ｅ２を大きくすることが好ましい（ｅ２＞ｅ１）。つまり指当て部１６の下方への傾斜具合を小さくすることが好ましい。なぜなら第２の指Ｂ２の外側面（爪を備える面）において、指当て部１６の下方に指をしっかりと当接しやすくできるからである。この結果、刃先を上方に持ち上げる際に、指当て部１６の下方側の該接触領域を中心として外方へと押圧しやすくできる。この押圧により指当て部１６が前方へ移動するとともに刃先が容易に上昇し、かつこの姿勢を支持しやすくできる。詳細には、第２の指環軸ｔ２と平行な位置ｔ４を基準として、指当て部軸を上方に０°から５°の範囲で傾斜させた位置ｔ４’とすることで、上記の効果を享受でき好ましい。すなわち第２の指環２１と指当て部１６とのなす角度ｓを０°〜５°の範囲とすることが好ましい。さらに指当て部１６は、第２の指環２１を縮小した形状、すなわち図１９の例では径を小さくした環状とすることが好ましい。これにより第２の指Ｂ２と指当て部１６との接触面積を稼いで、第２の指環２１に掛かる第２の指Ｂ２からはさみ２０が抜け落ちることを一層回避できる。
【００６８】
また指当て部１６は一方で、連続した環状の他、環状の円周の少なくとも一部のみの形状、すなわち断片状としてもよい。この例を図２４に示す。図２４の指当て部２６は、環状の一部を切り欠いた半環状であって、第２の柄２２との連結部を中心として略対称な形状に形成されている。つまり指当て部２６は、第２の柄２２と近接する側にのみ半円状に形成し、これと対向する外側の半円状を欠いた円弧状としている。言い換えると指当て部２６は、第２の指と第３の指とで把持補助部１４を狭着する際に応力がかかる領域を中心に成形される。また指当て部１６は、少なくとも指Ｂ２の腹と接触可能な領域を含有する円弧状とすることが好ましい。これにより第２の指Ｂ２の先端を指当て部１６に引っかけやすくでき、指との接面領域を稼ぐことができる。
【００６９】
このように静刃２３側を固定するのに有効な領域に限定して、指当て部２６を成形する形態では、指の全周ではなく、指の周囲の一部のみを把持補助部１４に当接できる。この結果、作業者の指の太さに関わらず、常に第２の指Ｂ２と指当て部２６とを密接に当接させることができる。つまり、第２の指環２１に掛かる第２の指Ｂ２として選択される指の径の違いや、様々な作業者による指の太さの違いに依存せず、第２の指Ｂ２を指当て部２６にしっかりと接触させて把持補助部１４を固定することができる。
【００７０】
また実施例２の理美容はさみ２０は、さらに第２の把持補助部２４を別個に設けて、把持状態を一層安定させることができる。例えば図１９〜図２４の例では、第１の指環１１と第２の指環２１との間に第２の把持補助部２４を配置している。作業者が理美容はさみ２０を把持すると、第３の指Ｂ３をこの第２の把持補助部２４に当接させることができる。言い換えると第２の把持補助部２４が第３の指Ｂ３を支持することで、第３の指Ｂ３の把持位置が位置決めされて、この結果、第３の指で第２の柄２２をしっかりと静止状態に固定できる。具体的に、第２の把持補助部２４は第２の指環２１の一部に連結される。ただ、連結位置は第２の指環２１に限定されず、例えば第２の柄２２上とすることもできる。さらに第２の把持補助部２４は、第２の指環２１から第１の指環１１側へと突出した直線状に成形される。そして図２１に示すように、第１の指環１１と第２の指環２１に、親指Ｂ１及び中指Ｂ２をそれぞれ掛けた状態で、人差し指Ｂ３の腹側を第２の把持補助部２４に接面させる。さらに詳しくは、人差し指Ｂ３の第１関節の折曲により、把持補助部２４を巻き込むように狭んでしっかりと支持できる。このように第２の把持補助部２４を設けることで、作業者が静刃２３側の第２の柄２２を安定して保持し、はさみの開刃あるいは閉刃状態においても第２の柄２２を実質上静止するよう固定でき好ましい。
【００７１】
（第２指環の位置）
また理美容はさみは、図１１に示すようにｚ軸の正方向から見て時計回り（図１１に示す太線の矢印方向）に第２の指環２１を回転可能に固定できることについては上述の通りである。これにより、第１の指環１１と第２の指環２１との離間距離や構成角度など互いの相対位置を調節して、作業者がはさみ１を楽に把持したときの手の姿勢に、はさみの構造を適合させることができる。この第１の指環１１の連結位置について以下に説明する。
【００７２】
図２５は、実施例２に係る理美容はさみ２０の刃先側から観測した平面図である。ここで、支点部３を基準点Ｇとし、この基準点Ｇから閉刃状態の刃先方向（図２５における奥から手前方向）をｚ軸とする。さらに基準点Ｇを通過して刃の回転面と直交する直線をｘ軸とする。加えて基準点Ｇを通過し刃の回転面と平行かつｘ軸と直交する直線をｙ軸とする。またｘ軸において第２の刃２３側（図２５の右方向）をｘ軸の正方向、図２５の上方向をｙ軸の正方向とする。つまり図２５は、実施例２の理美容はさみ２０のｘ−ｙ平面図である。そして基準点Ｇから、第２の指環２１の形状面の中心点Ｊへの方向を第２の指環２１の固定方向ｍと定義する。また第２の指環の固定方向ｍが、負のｙ軸方向と成す角を第２の指環の連結角度θと称する。
【００７３】
理美容はさみ２０は、図２５のｘ−ｙ平面視において、第１の指環１１を第１象限に配置し、かつ第２の指環２１を第３象限または第４象限に位置させる姿勢に構成している。具体的に第２の指環２１の連結角度θを０°〜１２０°、好ましくは０°〜９０°、一層好ましくは３０°〜６０°の範囲とする。この範囲であれば、第２の指Ｂ２が人差し指、中指、薬指、小指のいずれであっても、あるいは作業者によって指環に掛かる指Ｂ１、Ｂ２の長さや太さなどに多少の差があっても、これらのバラツキを許容して作業者が自然に把持できる理美容はさみ２０とできる。つまり作業者の理美容はさみ２０を握る格好は、作業者によって、第１の親指Ｂ１と第２の指Ｂ２との離間距離や、指の高低差、構成角度など手の姿勢に多少のズレが生じる。これは、第２の指Ｂ２として選択された指の形状の違いや、あるいは作業者固有の指の形状の差によって、第１の指と第２の指との相対位置が多少異なるからである。したがって刃面の水平方向を基準とした第２の指環２１の連結角度θを上記の範囲とすれば、選択された指がいずれの場合であっても、作業者の作業格好に理美容はさみの動きを類似させることができるため、把持しやすいはさみとできる。
【００７４】
さらに第２の指Ｂ２をいずれか一の指に特定してはさみ２０を使用する場合は、第１の指環１１と第２の指環２１をより詳細に位置決めすることが好ましい。これにより第１の指Ｂ１と第２の指Ｂ２とで構成される把持姿勢に理美容はさみ２０の構造を一層整合させることができる。例えば第２の指Ｂ２を中指とする場合は、第２の指環２１の連結角度θを約４５°とすることが好ましい。この結果、楽に把持でき作業しやすい理美容はさみとなり、安全性や能率を高めることができる。
【００７５】
また、理美容はさみは、実施例１で記載したように刃の閉じ位置を決定可能な種々の形状のストッパーを適所に備えることができる。例えば図１９〜図２３の理美容はさみ２０では、第２の柄２２の一部から第１の柄１２側へと突出した凸部を設けており、これをストッパー１７としている。そして第１の指環１１を回動させて開刃状態から閉刃状態に移る際に、第１の柄１２を第２の柄２２側に接近させ、さらに第１の柄１２をストッパー１７の先端に当接させる。この当接位置で指環１１の変位が停止するとともに刃の回動も停止する。
【００７６】
またストッパーと、このストッパーに当接される受容部とは、互いに嵌合する形状とできる。例えば図２６に示す理美容はさみでは、第１の指環１１の一部から角柱状に突出したストッパー７と、このストッパー７に当接されてストッパー７の移動を停止させる受容部１８を備える。図２６の受容部１８は湾曲した第２の柄２２の先端部にあり、ストッパー７側の突出形状に沿って切り欠いた形状としている。具体的に、ストッパー７側の直角を構成する外面が、受容部１８の切り欠け部の内面に接面するよう受容部１８を段差状としている。この受容部１８の段差状の切り欠き部分にストッパー７の突出形状が嵌合して、理美容はさみが閉刃状態となる。このように当接部において、接触される互いの部材を嵌合形状に形成することで、当接位置を安定させることができ好ましい。また、上記の例では互いに嵌着する当接部の凸部側および凹部側を、ストッパー及び受容部に対応させたが、ストッパーを凹部側とするとともに受容部を凸部側としてもよいことは言うまでもない。さらに図２６の理美容はさみにおいても、図２３の例と同様に、第２の柄２２の少なくとも一部を第１の指環１１から離間する方向へ傾斜させてもよい。
【産業上の利用可能性】
【００７７】
本発明の理美容はさみは、理美容のはさみに適用できる。
【図面の簡単な説明】
【００７８】
【図１】実施例１に係る閉刃状態の理美容はさみの斜視図である。
【図２】実施例１に係る閉刃状態の理美容はさみの斜視図である。
【図３】実施例１に係る理美容はさみの正面図である。
【図４】実施例１に係る理美容はさみの背面図である。
【図５】実施例１に係る理美容はさみの右側面図である。
【図６】実施例１に係る理美容はさみの左側面図である。
【図７】実施例１に係る理美容はさみの平面図である。
【図８】実施例１に係る理美容はさみの底面図である。
【図９】実施例１に係る第１の指環の形状面の向きを説明するための説明図である。
【図１０】実施例１に係る第２の指環の形状面の向きを説明するための説明図である。
【図１１】実施例１に係る第２の指環の形状面の向きを説明するための説明図である。
【図１２】実施例１に係る第２の指環の形状面の向きを説明するための説明図である。
【図１３】実施例１に係る理美容はさみの使用状態を示す説明図である。
【図１４】実施例１に係る把持状態における手と理美容はさみの切断方向との関係を示す説明図である。
【図１５】実施例１に係る刃面の配向可能な領域を示す説明図である。
【図１６】従来の理美容はさみにおける順手の握り方を示す説明図である。
【図１７】従来の理美容はさみにおける逆手の握り方を示す説明図である。
【図１８】従来の理美容はさみを用いて作業をする際の説明図である。
【図１９】実施例２に係る理美容はさみの正面図である。
【図２０】実施例２の別の形態に係る理美容はさみの説明図である。
【図２１】実施例２に係る理美容はさみの使用例を示す。
【図２２】実施例２の別の形態に係る理美容はさみの説明図である。
【図２３】実施例２の別の形態に係る理美容はさみの正面図を示す。
【図２４】実施例２に係る理美容はさみの他の例を示す。
【図２５】実施例２に係る理美容はさみの平面図を示す。
【図２６】ストッパーの別の形態を説明する理美容はさみの正面図を示す。
【符号の説明】
【００７９】
１、２００…理美容はさみ
３…支点部
４、１４…把持補助部
６、１６、２６…指当て部
７、１７…突出した領域（ストッパー）
８…毛束
１１…第１の指環
１２…第１の柄
１３…第１の刃（動刃）
１５…中心軸
１８…受容部  
２１…第２の指環
２２…第２の柄
２３…第２の刃（静刃）
２４…第２の把持補助部（直線状把持補助部）  
２５…中心軸
１００…理美容はさみ
１０１…動刃
１０２…静刃
１０１Ａ、１０２Ａ…柄
１０１ａ、１０２ａ…指環
１０３…ねじ
２０…理美容はさみ
２１１…静刃
２１０…第１のはさみ体
２１３…柄体
２１４…ヒンジ体
２１５ａ、２１５ｂ、２１５ｃ…固定ボルト
２１６…指環
２２１…動刃
２２０…第２のはさみ体
２２３…柄体
２２４…指環
２３０…支点軸ボルト
Ａ１…基本面Ｆ１から第２面Ｆ２への回転量
ａ１…基本面ｆ１から第２面ｆ２への回転量
Ａ２…第２面Ｆ２から第３面Ｆ３への回転量
ａ２…第２面ｆ２から第３面ｆ３への回転量
Ａ３…指環面Ｈ１と刃面Ｈ２とで構成される回転角
ａ３…傾斜角度
Ｂ１…第１の指
Ｂ２…第２の指
Ｂ３…第３の指
Ｃ、Ｃ’…原点
Ｃ１、Ｃ２…カット方向
Ｄ１…第１の柄の軸方向
ｄ１…第２の柄の軸方向
Ｄ２…原点を通る第１の指環の直径方向
ｄ２…原点を通る第２の指環の直径方向
ｅ１…第２の指環と刃先方向とのなす角度
ｅ２…指当て部と刃先方向とのなす角度
Ｆ１、ｆ１…基本面
Ｆ２、ｆ２…第２面
Ｆ３、ｆ３…第３面
Ｇ…基準点
Ｈ１、ｈ１…指環の中心同士を含有する面（指環面）
Ｈ２…刃の回転面（刃面）
Ｉ…作業者
Ｊ…第２の指環の形状面の中心点
Ｌ１…指環の中心同士を結ぶ線（指環の中心結線）
ｍ…第２の指環の固定方向
Ｐ…親指の軸
Ｒ１、Ｒ２…理美容はさみの刃面が配向可能な領域
ｓ…第２の指環と指当て部とのなす角度
ｔ２…第２の指環軸
ｔ４、ｔ４’…指当て部軸
ｕ１、ｕ１’…第２の指環の形状面
ｕ２、ｕ２’…指当て部の形状面
ｖ…回転量
Ｙ…被理髪者
θ…第２の指環の連結角度
【図１】
0004889701.tif 000002
【図２】
0004889701.tif 000003
【図３】
0004889701.tif 000004
【図４】
0004889701.tif 000005
【図５】
0004889701.tif 000006
【図６】
0004889701.tif 000007
【図７】
0004889701.tif 000008
【図８】
0004889701.tif 000009
【図９】
0004889701.tif 000010
【図１０】
0004889701.tif 000011
【図１１】
0004889701.tif 000012
【図１２】
0004889701.tif 000013
【図１３】
0004889701.tif 000014
【図１４】
0004889701.tif 000015
【図１５】
0004889701.tif 000016
【図１６】
0004889701.tif 000017
【図１７】
0004889701.tif 000018
【図１８】
0004889701.tif 000019
【図１９】
0004889701.tif 000020
【図２０】
0004889701.tif 000021
【図２１】
0004889701.tif 000022
【図２２】
0004889701.tif 000023
【図２３】
0004889701.tif 000024
【図２４】
0004889701.tif 000025
【図２５】
0004889701.tif 000026
【図２６】
0004889701.tif 000027